(57)【要約】【課題】生体情報をホスト装置に登録するときに利用者が金融窓口に行くことなくホスト装置に登録することを可能とし、利用者の利便性の向上をはかる。【解決手段】利用者の生体情報を読み取る生体情報読取部１４とＩＣカードに記録された記録生体情報を取得するカード情報取得部１３とを備えた生体情報送信装置１０が、ＩＣカードに記録された記録生体情報を取得し、取得した記録生体情報と利用者から読み取った生体情報とを用いて本人確認を行った上で、ＩＣカードから取得した記録生体情報を通信回線３０を介してホスト装置２０に送信する。そして、ホスト装置２０は、送信された記録生体情報を記憶部２４内の生体認証情報データベース２４１に登録する。【選択図】図１
2009288993.tif 000002
【特許請求の範囲】
【請求項１】
利用者の生体情報を読み取る生体情報読取部および外部からの情報を入力する入力部を備えた生体情報送信装置と、前記生体情報送信装置に通信回線を介して接続され、前記生体情報送信装置から送信された前記利用者の生体情報および予め記憶部に登録された前記利用者の登録生体情報を照合し生体認証を行うホスト装置と、を含んで構成される金融取引システムであって、
前記予め記憶部に登録された前記登録生体情報は、
前記生体情報送信装置が、ＩＣ（Integrated Circuit）カードに記録された記録生体情報を取得し、前記取得した記録生体情報と、前記生体情報読取部により利用者から読み取られる生体情報とを照合し本人確認を行った上で、前記取得した記録生体情報を前記通信回線を介して前記ホスト装置に送信し、前記ホスト装置が、前記送信された記録生体情報を、前記記憶部に登録したものであり、
前記生体情報送信装置は、
前記生体情報読取部により前記利用者の生体情報を読み取り、
前記読み取られた利用者の生体情報と前記入力部に入力される利用者の識別情報とを示す利用者情報を前記ホスト装置に送信し、
前記ホスト装置は、
前記送信された利用者情報に示される前記利用者の生体情報と、前記予め記憶部に登録された前記登録生体情報とを照合して前記生体認証を行い、
前記生体認証が成功した場合に、前記生体認証が成功したことを示す生体認証結果情報を前記生体情報送信装置に送信し、
前記生体情報送信装置は、
前記ホスト装置から前記生体認証が成功したことを示す生体認証結果情報を受信した場合に、金融取引を行うこと
を特徴とする金融取引システム。
【請求項２】
金融取引に必要な利用者の個人情報が登録される記憶部を備えるホスト装置と、前記ホスト装置に通信回線を介して接続され、ＩＣカードに記録された記録生体情報と利用者から読み取る生体情報とを照合して本人確認を行う生体情報送信装置と、を備えた生体情報登録システムであって、
前記生体情報送信装置は、前記ＩＣカードに記録された記録生体情報を取得し、前記本人確認を行った上で、前記記録生体情報を、前記通信回線を介して、前記ホスト装置に送信し、
前記ホスト装置は、前記送信された記録生体情報を、前記記憶部に登録すること
を特徴とする生体情報登録システム。
【請求項３】
金融取引処理を管理するホスト装置と、前記ホスト装置に通信回線を介して接続され、ＩＣカードに記録された記録生体情報を用いて本人確認を行う生体情報送信装置と、を備えた生体情報登録システムであって、
前記生体情報送信装置は、
外部からの情報を入力する入力部と、
操作の案内を表示し、処理結果を出力する表示部と、
前記記録生体情報を取得するカード情報取得部と、
利用者の生体情報を読み取る生体情報読取部と、
前記生体情報読取部により読み取られた生体情報と、前記記録生体情報と、を照合し前記本人確認を行う生体情報照合部と、
前記生体情報照合部により本人確認が行われ照合に成功した場合に、前記記録生体情報を、前記通信回線を介して、前記ホスト装置に送信する生体情報送信部と、を備え、
前記ホスト装置は、
前記生体情報送信装置から、前記通信回線を介して、前記記録生体情報を受信する生体情報受信部と、
前記生体情報受信部が受信した前記記録生体情報を、記憶部に登録する生体情報登録部と、
を備えたことを特徴とする生体情報登録システム。
【請求項４】
前記ホスト装置は、
前記生体情報登録部が前記記録生体情報を登録したことの確認メッセージである登録確認情報を、前記生体情報送信装置に送信する登録確認情報送信部を、さらに備え、
前記生体情報送信装置は、
前記ホスト装置から送信された前記登録確認情報を受信する登録確認情報受信部と、
前記登録確認情報受信部が前記登録確認情報を受信したことを契機として、前記ＩＣカードに記録された記録生体情報を消去するか否かの選択を利用者に求める選択情報を前記表示部に表示し、利用者により当該記録生体情報の消去が選択された場合に、前記ＩＣカードに記録された記録生体情報を消去する生体情報消去部と、
をさらに備えることを特徴とする請求項３に記載の生体情報登録システム。
【請求項５】
利用者の生体情報を読み取る生体情報読取部および外部からの情報を入力する入力部を備えた生体情報送信装置と、前記生体情報送信装置に通信回線を介して接続され、前記生体情報送信装置から送信された前記利用者の生体情報および予め記憶部に登録された前記利用者の登録生体情報を照合し生体認証を行うホスト装置と、を含んで構成される金融取引システムに用いられる金融取引方法であって、
前記予め記憶部に登録された前記登録生体情報は、
前記生体情報送信装置が、ＩＣカードに記録された記録生体情報を取得し、前記取得した記録生体情報と、前記生体情報読取部により利用者から読み取られる生体情報とを照合し本人確認を行った上で、前記取得した記録生体情報を前記通信回線を介して前記ホスト装置に送信し、前記ホスト装置が、前記送信された記録生体情報を、前記記憶部に登録したものであり、
前記生体情報送信装置は、
前記生体情報読取部により前記利用者の生体情報を読み取り、
前記読み取られた利用者の生体情報と前記入力部に入力される利用者の識別情報とを示す利用者情報を前記ホスト装置に送信し、
前記ホスト装置は、
前記送信された利用者情報に示される前記利用者の生体情報と、前記予め記憶部に登録された前記登録生体情報とを照合して前記生体認証を行い、
前記生体認証が成功した場合に、前記生体認証が成功したことを示す生体認証結果情報を前記生体情報送信装置に送信し、
前記生体情報送信装置は、
前記ホスト装置から前記生体認証が成功したことを示す生体認証結果情報を受信した場合に、金融取引を行うこと
を特徴とする金融取引方法。
【請求項６】
金融取引に必要な利用者の個人情報が登録される記憶部を備えるホスト装置と、前記ホスト装置に通信回線を介して接続され、ＩＣカードに記録された記録生体情報を用いて本人確認を行う生体情報送信装置と、を備えた生体情報登録システムに用いられる生体情報登録方法であって、
前記生体情報送信装置は、
外部からの情報を入力する入力部と、操作の案内を表示し処理結果を出力する表示部とを備え、
前記記録生体情報を取得し、
利用者の生体情報を読み取り、
前記読み取られた利用者の生体情報と、前記記録生体情報と、を照合し前記本人確認を行い、
前記本人確認が行われ照合に成功した場合に、前記記録生体情報を、前記通信回線を介して、前記ホスト装置に送信し、
前記ホスト装置は、
前記生体情報送信装置から、前記通信回線を介して、前記記録生体情報を受信し、
当該受信した前記記録生体情報を、記憶部に登録すること、
を特徴とする生体情報登録方法。
【請求項７】
金融取引に必要な利用者の個人情報が登録される記憶部を備えるホスト装置に通信回線を介して接続され、ＩＣカードに記録された記録生体情報と利用者から読み取る生体情報とを照合して本人確認を行う生体情報送信装置であって、
前記ＩＣカードに記録された記録生体情報を取得し、前記本人確認を行った上で、前記記録生体情報を、前記通信回線を介して、前記ホスト装置に送信することを特徴とする生体情報送信装置。
【請求項８】
利用者の生体情報を読み取る生体情報読取部とＩＣカードに記録された記録生体情報を取得するカード情報取得部とを備えた生体情報送信装置に通信回線を介して接続され、金融取引に必要な前記利用者の個人情報が登録される記憶部を備え、金融取引処理を管理するホスト装置のコンピュータに実行させるプログラムであって、
前記ＩＣカードに記録された記録生体情報を前記カード情報取得部が取得し、
前記取得した記録生体情報と、前記生体情報読取部が利用者から読み取る生体情報とを照合し本人確認を行い、
前記本人確認が行われ照合に成功した場合に、前記取得した記録生体情報を前記通信回線を介して前記ホスト装置に送信すること、
をコンピュータに実行させるためのプログラムを前記通信回線を介して前記生体情報送信装置に配信する処理と、
前記生体情報送信装置から、前記通信回線を介して、前記ＩＣカードから取得した記録生体情報を受信する処理と、
当該受信した前記記録生体情報を、前記記憶部に登録する処理と、
をコンピュータに実行させるためのプログラム。
【発明の詳細な説明】
【技術分野】
【０００１】
本発明は、金融取引システムおよび金融取引方法、並びに、生体情報登録システム、生体情報登録方法、生体情報送信装置およびプログラムに関するものである。
【背景技術】
【０００２】
現在、金融機関での本人確認手段の多くは、登録印鑑を用いて行っている。例えば、銀行の窓口において、現金支払の際には必ず登録印鑑がなければならない。
また、ＡＴＭ（Automated Teller Machine）等での預金の引き出しには、従来キャッシュカードと４桁の暗証番号を用いて本人確認を行っている。しかし、これではセキュリティ上十分とはいえないため、最近では、犯罪防止の観点からＩＣカード（キャッシュカード）に偽造困難な生体情報を記録し、このＩＣカードに記録された生体情報と、利用者本人の生体情報とをその都度照合することにより本人確認を行い、現金の支払を行うようになってきている（例えば、特許文献１参照）。
【特許文献１】特開２００５−２０２７２９号公報
【発明の開示】
【発明が解決しようとする課題】
【０００３】
しかしながら、特許文献１に記載された技術は、端末において生体情報を用いて本人確認を行うものであり、銀行ホスト装置に生体情報を記憶させておくものではない。これまでは、生体情報を銀行ホスト装置に登録することにより、登録した生体情報の不正な流出や、改ざんの危険性があり、セキュリティ面が不十分と考えられていたためである。しかし今後は、暗号化技術の向上やセキュリティシステムの強化により、現状の印鑑情報のように、生体情報が銀行内のホスト装置やサブシステム内のデータベースに記憶されていくものと考えられる。
ただし、現状において、利用者（顧客）が金融機関等のホスト装置に生体情報を登録しようとする際には、わざわざ窓口に出向いて、ＩＣカードに生体情報を登録したときと同様に、再度生体情報の登録手続を行わなければならない。
【０００４】
本発明は前記した課題を解決するためになされたものであり、ＩＣカードに記録された生体情報をホスト装置に送信し登録することができる、金融取引システムおよび金融取引方法、並びに、生体情報登録システム、生体情報登録方法、生体情報送信装置およびプログラムを提供することを目的とする。
【課題を解決するための手段】
【０００５】
前記課題を解決するため、請求項１に記載の金融取引システムは、利用者の生体情報を読み取る生体情報読取部および外部からの情報を入力する入力部を備えた生体情報送信装置と、前記生体情報送信装置に通信回線を介して接続され、前記生体情報送信装置から送信された前記利用者の生体情報および予め記憶部に登録された前記利用者の登録生体情報を照合し生体認証を行うホスト装置と、を含んで構成される金融取引システムであって、  前記予め記憶部に登録された前記登録生体情報は、前記生体情報送信装置が、ＩＣカードに記録された記録生体情報を取得し、前記取得した記録生体情報と、前記生体情報読取部により利用者から読み取られる生体情報とを照合し本人確認を行った上で、前記取得した記録生体情報を前記通信回線を介して前記ホスト装置に送信し、前記ホスト装置が、前記送信された記録生体情報を、前記記憶部に登録したものであり、前記生体情報送信装置は、  前記生体情報読取部により前記利用者の生体情報を読み取り、前記読み取られた利用者の生体情報と前記入力部に入力される利用者の識別情報とを示す利用者情報を前記ホスト装置に送信し、前記ホスト装置は、前記送信された利用者情報に示される前記利用者の生体情報と、前記予め記憶部に登録された前記登録生体情報とを照合して前記生体認証を行い、  前記生体認証が成功した場合に、前記生体認証が成功したことを示す生体認証結果情報を前記生体情報送信装置に送信し、前記生体情報送信装置は、前記ホスト装置から前記生体認証が成功したことを示す生体認証結果情報を受信した場合に、金融取引を行う構成とした。
【０００６】
請求項５に記載の金融取引方法は、利用者の生体情報を読み取る生体情報読取部および外部からの情報を入力する入力部を備えた生体情報送信装置と、前記生体情報送信装置に通信回線を介して接続され、前記生体情報送信装置から送信された前記利用者の生体情報および予め記憶部に登録された前記利用者の登録生体情報を照合し生体認証を行うホスト装置と、を含んで構成される金融取引システムに用いられる金融取引方法であって、前記予め記憶部に登録された前記登録生体情報は、前記生体情報送信装置が、ＩＣカードに記録された記録生体情報を取得し、前記取得した記録生体情報と、前記生体情報読取部により利用者から読み取られる生体情報とを照合し本人確認を行った上で、前記取得した記録生体情報を前記通信回線を介して前記ホスト装置に送信し、前記ホスト装置が、前記送信された記録生体情報を、前記記憶部に登録したものであり、前記生体情報送信装置は、前記生体情報読取部により前記利用者の生体情報を読み取り、前記読み取られた利用者の生体情報と前記入力部に入力される利用者の識別情報とを示す利用者情報を前記ホスト装置に送信し、前記ホスト装置は、前記送信された利用者情報に示される前記利用者の生体情報と、前記予め記憶部に登録された前記登録生体情報とを照合して前記生体認証を行い、前記生体認証が成功した場合に、前記生体認証が成功したことを示す生体認証結果情報を前記生体情報送信装置に送信し、前記生体情報送信装置は、前記ホスト装置から前記生体認証が成功したことを示す生体認証結果情報を受信した場合に、金融取引を行う構成とした。
【０００７】
このようにすることで、本発明に係る金融取引システムおよび金融取引方法は、ＩＣカードがなくても、口座番号を入力する、あるいは、通帳を入力するだけで、利用者から読み取った生体情報とホスト装置に登録された生体情報とを用いて生体認証を行い、現金支払等の金融取引を行うことができる。つまり、金融取引の際にＩＣカードを所持する必要がなくなり、利用者の利便性を向上させることができる。
【０００８】
また、前記課題を解決するため、請求項２に記載の生体情報登録システムは、金融取引に必要な利用者の個人情報が登録される記憶部を備えるホスト装置と、前記ホスト装置に通信回線を介して接続され、ＩＣカードに記録された記録生体情報と利用者から読み取る生体情報とを照合して本人確認を行う生体情報送信装置と、を備えた生体情報登録システムであって、前記生体情報送信装置は、前記ＩＣカードに記録された記録生体情報を取得し、前記本人確認を行った上で、前記記録生体情報を、前記通信回線を介して、前記ホスト装置に送信し、前記ホスト装置は、前記送信された記録生体情報を、前記記憶部に登録する構成とした。
【０００９】
請求項３に記載の生体情報登録システムは、金融取引処理を管理するホスト装置と、前記ホスト装置に通信回線を介して接続され、ＩＣカードに記録された記録生体情報を用いて本人確認を行う生体情報送信装置と、を備えた生体情報登録システムであって、前記生体情報送信装置は、外部からの情報を入力する入力部と、操作の案内を表示し、処理結果を出力する表示部と、前記記録生体情報を取得するカード情報取得部と、利用者の生体情報を読み取る生体情報読取部と、前記生体情報読取部により読み取られた生体情報と、前記記録生体情報と、を照合し前記本人確認を行う生体情報照合部と、前記生体情報照合部により本人確認が行われ照合に成功した場合に、前記記録生体情報を、前記通信回線を介して、前記ホスト装置に送信する生体情報送信部と、を備え、前記ホスト装置は、前記生体情報送信装置から、前記通信回線を介して、前記記録生体情報を受信する生体情報受信部と、前記生体情報受信部が受信した前記記録生体情報を、記憶部に登録する生体情報登録部と、を備える構成とした。
【００１０】
請求項６に記載の生体情報登録方法は、金融取引に必要な利用者の個人情報が登録される記憶部を備えるホスト装置と、前記ホスト装置に通信回線を介して接続され、ＩＣカードに記録された記録生体情報を用いて本人確認を行う生体情報送信装置と、を備えた生体情報登録システムに用いられる生体情報登録方法であって、前記生体情報送信装置は、外部からの情報を入力する入力部と、操作の案内を表示し処理結果を出力する表示部とを備え、前記記録生体情報を取得し、利用者の生体情報を読み取り、前記読み取られた利用者の生体情報と、前記記録生体情報と、を照合し前記本人確認を行い、前記本人確認が行われ照合に成功した場合に、前記記録生体情報を、前記通信回線を介して、前記ホスト装置に送信し、前記ホスト装置は、前記生体情報送信装置から、前記通信回線を介して、前記記録生体情報を受信し、当該受信した前記記録生体情報を、記憶部に登録する構成とした。
【００１１】
請求項７に記載の生体情報送信装置は、金融取引に必要な利用者の個人情報が登録される記憶部を備えるホスト装置に通信回線を介して接続され、ＩＣカードに記録された記録生体情報と利用者から読み取る生体情報とを照合して本人確認を行う生体情報送信装置であって、前記ＩＣカードに記録された記録生体情報を取得し、前記本人確認を行った上で、前記記録生体情報を、前記通信回線を介して、前記ホスト装置に送信する構成とした。
【００１２】
請求項８に記載のプログラムは、利用者の生体情報を読み取る生体情報読取部とＩＣカードに記録された記録生体情報を取得するカード情報取得部とを備えた生体情報送信装置に通信回線を介して接続され、金融取引に必要な前記利用者の個人情報が登録される記憶部を備え、金融取引処理を管理するホスト装置のコンピュータに実行させるプログラムであって、前記ＩＣカードに記録された記録生体情報を前記カード情報取得部が取得し、前記取得した記録生体情報と、前記生体情報読取部が利用者から読み取る生体情報とを照合し本人確認を行い、前記本人確認が行われ照合に成功した場合に、前記取得した記録生体情報を前記通信回線を介して前記ホスト装置に送信すること、をコンピュータに実行させるためのプログラムを前記通信回線を介して前記生体情報送信装置に配信する処理と、前記生体情報送信装置から、前記通信回線を介して、前記ＩＣカードから取得した記録生体情報を受信する処理と、当該受信した前記記録生体情報を、前記記憶部に登録する処理と、をコンピュータに実行させる構成とした。
【００１３】
このようにすることで、本発明に係る生体情報登録システム、生体情報登録方法、生体情報登録装置、およびプログラムは、生体情報をホスト装置に登録する際に、利用者が金融機関等の窓口に再度出向き生体情報の登録手続をする必要はなく、ＩＣカードに記録された生体情報を金融機関等のホスト装置の記憶部に登録することが可能となる。
【００１４】
また、請求項４に記載の生体情報登録システムは、前記ホスト装置は、前記生体情報登録部が前記記録生体情報を登録したことの確認メッセージである登録確認情報を、前記生体情報送信装置に送信する登録確認情報送信部を、さらに備え、前記生体情報送信装置は、前記ホスト装置から送信された前記登録確認情報を受信する登録確認情報受信部と、前記登録確認情報受信部が前記登録確認情報を受信したことを契機として、前記ＩＣカードに記録された記録生体情報を消去するか否かの選択を利用者に求める選択情報を前記表示部に表示し、利用者により当該記録生体情報の消去が選択された場合に、前記ＩＣカードに記録された記録生体情報を消去する生体情報消去部と、をさらに備える構成とした。
【００１５】
このような構成によれば、ＩＣカードに記録された生体情報を金融機関のホスト装置に登録した後に、利用者がＩＣカードに記録された生体情報を消去するか否かの選択をすることができる。したがって、利用者はＩＣカード内に不必要となった生体情報を記録し続けることなく消去することができる。
【発明の効果】
【００１６】
本発明によれば、ＩＣカードに生体情報を記録している利用者が、生体情報を金融機関等のホスト装置に登録するときに、ＩＣカードに記録された生体情報をホスト装置に送信し登録することができる、金融取引システムおよび金融取引方法、並びに、生体情報登録システム、生体情報登録方法、生体情報送信装置およびプログラムを提供することができる。
【発明を実施するための最良の形態】
【００１７】
次に、本発明を実施するための最良の形態（以下、「実施形態」という。）について、適宜図面を参照しながら詳細に説明する。
【００１８】
（生体情報登録システム）
図１は、本実施形態に係る生体情報登録システムの構成例を示す機能ブロック図である。
図１に示すように、本実施形態に係る生体情報登録システム１は、ＩＣカードから生体情報を取得するカード情報取得手段と、利用者の生体情報を読み取る生体情報読取手段とを備えた生体情報送信装置１０と、銀行等の金融機関において、金融取引に関する処理を管理するホスト装置２０とが、通信回線３０を介して接続されている。なお、通信回線３０を介して送受信されるデータは、暗号化により高いセキュリティが確保されているものとする。
【００１９】
また、図１に示す生体情報送信装置１０は、ホスト装置２０と通信可能に接続される1つ以上の装置であり、例えば、生体情報送信装置１０の構成をその内部に備える、ＡＴＭ、金融機関等の受付端末、金融機関等の窓口で使用される取引端末等である。
【００２０】
生体情報送信装置１０は、ＣＰＵ（Central Processing Unit）で構成される制御部１８を制御中枢とし、表示部１１と、入力部１２と、カード情報取得部１３と、生体情報読取部１４と、通信部１５と、一時記憶部１６と、記憶部１７とを含んで構成される。
【００２１】
表示部１１は、操作の案内が表示され、処理結果が出力される液晶ディスプレイ等から構成される。入力部１２は、液晶ディスプレイに設けられたタッチパネルを利用者が操作したり、キーボードを押下すること等により、外部からの情報を入力する。また、入力部１２は、通帳等の挿入を受け付け、制御部１８が口座番号等の利用者の識別情報を取得する。
【００２２】
カード情報取得部１３は、生体情報を記録したＩＣカードが、カード挿入口に挿入され、または非接触のセンサに近づけられると、制御部１８（生体情報照合部１８１）の制御により、ＩＣカードに記録された生体情報（記録生体情報）を取得する。
【００２３】
生体情報読取部１４は、制御部１８（生体情報照合部１８１）の制御により、利用者の生体情報を読み取る。ここで、生体情報は、指紋、手の平静脈、指静脈、虹彩、顔画像、音声情報等のうちＩＣカードに記録された生体情報と照合することが可能であれば、いずれのものでもよい。
【００２４】
通信部１５は、制御部１８の制御により、ＩＣカードに記録された生体情報等を通信回線３０を介してホスト装置２０に送信する。また、通信部１５は、ホスト装置２０から送信された後記する登録確認情報等を受信する。
【００２５】
一時記憶部１６は、制御部１８が処理した結果である生体情報等を一時的に保存する記憶手段からなり、ＲＡＭ（Random Access Memory）等により構成される。また、記憶部１７は、生体情報送信装置１０を制御するプログラム等を記憶しておく補助記憶装置であり、ハードディスク等から構成される。
【００２６】
制御部１８は、生体情報送信装置１０全体の制御を司り、生体情報照合部１８１と、生体情報送信部１８２と、登録確認情報受信部１８３と、生体情報消去部１８４とを含んで構成される。なお、この制御部１８は、例えば生体情報送信装置１０の記憶部１７に格納されたプログラムをＣＰＵがＲＡＭに展開し実行することで実現される。
【００２７】
生体情報照合部１８１は、カード情報取得部１３および生体情報読取部１４を制御し、カード情報取得部１３により取得されたＩＣカードに記録された生体情報と、生体情報読取部１４により読み取られた利用者の生体情報とを照合する。
【００２８】
生体情報送信部１８２は、生体情報照合部１８１における照合の結果、生体情報が一致すると判断された場合において、カード情報取得部１３が取得したＩＣカードに記録された生体情報を、通信部１５を介してホスト装置２０に送信する。
【００２９】
登録確認情報受信部１８３は、ＩＣカードに記録された生体情報がホスト装置２０の記憶部２４に登録されたことの確認メッセージを示す登録確認情報を、通信部１５を介してホスト装置２０から受信する。
【００３０】
生体情報消去部１８４は、登録確認情報受信部１８３が、ＩＣカードに記録された生体情報を登録した旨を示す登録確認情報を受信した場合に、利用者がＩＣカードに記録された生体情報を消去するか否かを判断させる画面を表示部１１に表示させる。また、利用者が、ＩＣカードに記録された生体情報を消去することを選択した場合に、ＩＣカード内の生体情報を消去する。
【００３１】
次に、ホスト装置２０は、銀行等の金融取引処理における制御全般を司る装置であり、通信部２１と、制御部２２と、一時記憶部２３と、記憶部２４とを含んで構成される。
【００３２】
通信部２１は、通信回線３０を介して、生体情報送信装置１０から送信されるＩＣカードに記録された生体情報等を受信する。また、通信部２１は、制御部２２の制御により登録確認情報等を生体情報送信装置１０に送信する。
【００３３】
制御部２２は、ホスト装置２０の全体の制御を司り、生体情報受信部２２１と、生体情報登録部２２２と、登録確認情報送信部２２３とを含んで構成される。なお、この制御部２２は、例えばホスト装置２０の記憶部２４に格納されたプログラムをＣＰＵがＲＡＭに展開し実行することで実現される。
【００３４】
生体情報受信部２２１は、生体情報送信装置１０が送信したＩＣカードに記録された生体情報を、通信回線３０および通信部２１を介して受信する。
【００３５】
生体情報登録部２２２は、生体情報受信部２２１が受信したＩＣカードに記録された生体情報を、記憶部２４内の生体認証情報データベース２４１に記憶させる。
【００３６】
登録確認情報送信部２２３は、生体情報登録部２２２がＩＣカードに記録された生体情報を生体認証情報データベース２４１に登録したことを契機として、登録したことの確認メッセージである登録確認情報を生成し、通信部２１を介して生体情報送信装置１０に送信する。
【００３７】
一時記憶部２３は、制御部２２が処理する生体情報等を一時的に記憶する記憶手段からなり、ＲＡＭ等により構成される。
【００３８】
記憶部２４は、ホスト装置２０を制御するプログラム等を記憶しておく補助記憶装置であり、ハードディスク等から構成される。
また、記憶部２４は、生体認証情報データベース２４１を備える。この生体認証情報データベース２４１は、生体情報登録部２２２の制御により、ＩＣカードに記録された生体情報を、その個人を識別する識別情報（例えば、口座番号、氏名等）と関連付けて保存する。
【００３９】
次に、図１を参照しつつ、図２に沿って、本実施形態に係る生体情報登録システムの処理を説明する。
図２は、本実施形態に係る生体情報登録システムの処理の流れを示すフローチャートである。
【００４０】
まず、生体情報送信装置１０の表示部１１に表示された生体情報転送釦が利用者によって押下されたか否かを判断する（ステップＳ２０１）。利用者により生体情報転送釦が押下されなければ（ステップＳ２０１→Ｎｏ）、押下されるまで待つ。一方、生体情報転送釦が押下されれば（ステップＳ２０１→Ｙｅｓ）、表示部１１に、ＩＣカードを挿入するように促すメッセージが表示される。そして、利用者により生体情報を記録したＩＣカードがカード情報取得部１３に挿入される（ステップＳ２０２）。そして、生体情報照合部１８１の制御により、ＩＣカードに記録された生体情報が取得され、一時記憶部１６に記憶される。
【００４１】
次に、生体情報送信装置１０の表示部１１に、利用者の生体情報の読み取りを行うことを促すメッセージが表示される。そして、生体情報読取部１４により、利用者の生体情報が読み取られ（ステップＳ２０３）、一時記憶部１６に記憶される。
【００４２】
続いて、生体情報照合部１８１は、一時記憶部１６に記憶され、ＩＣカードに記録された生体情報と、利用者から読み取った生体情報との照合を行う（ステップＳ２０４）。そして、生体情報照合部１８１は、照合の結果、ＩＣカードに記録された生体情報と、利用者から読み取った生体情報とが一致するか否かを判断する（ステップＳ２０５）。
【００４３】
そして、生体情報照合部１８１の照合の結果、生体情報が一致しなかった場合は（ステップＳ２０５→Ｎｏ）、利用者にＩＣカードを返却し処理を終了する。
一方、生体情報が一致した場合は（ステップＳ２０５→Ｙｅｓ）、生体情報が一致した旨を表示部１１に表示する。そしてさらに、ＩＣカードに記録された生体情報を、ホスト装置２０に送信する旨のメッセージを表示部１１に表示し（ステップＳ２０７）、ＩＣカードに記録された生体情報をホスト装置２０に送信する（ステップＳ２０８）。
【００４４】
次に、ホスト装置２０は、生体情報送信装置１０からＩＣカードに記録された生体情報を受信したか否かを判断する（ステップＳ２０９）。ホスト装置２０の生体情報受信部２２１が、ＩＣカードに記録された生体情報を受信していなければ（ステップＳ２０９→Ｎｏ）、生体情報を受信するまで待つ。一方、生体情報受信部２２１が、生体情報を受信していれば（ステップＳ２０９→Ｙｅｓ）、ステップＳ２１０へ進む。
【００４５】
ステップＳ２１０において、生体情報登録部２２２は、生体情報受信部２２１が受信したＩＣカードに記録された生体情報を、ＩＣカードの利用者の識別情報と共に、記憶部２４内の生体認証情報データベース２４１に登録する（ステップＳ２１０）。
【００４６】
続いて、登録確認情報送信部２２３は、ＩＣカードに記録された生体情報が生体認証情報データベース２４１に登録されたことを契機として、生体情報が登録されたことの確認メッセージである登録確認情報を生成し、通信部２１を介して生体情報送信装置１０に送信する（ステップＳ２１１）。
【００４７】
次に、生体情報送信装置１０は、登録確認情報受信部１８３が、ホスト装置２０から登録確認情報を受信したか否かを判断する（ステップＳ２１２）。ここで、登録確認情報受信部１８３が、登録確認情報を受信していない場合には（ステップＳ２１２→Ｎｏ）、受信するまで待つ。一方、登録確認情報受信部１８３が、登録確認情報を受信している場合には（ステップＳ２１２→Ｙｅｓ）、次のステップＳ２１３へ進む。
【００４８】
そしてステップＳ２１３において、生体情報消去部１８４は、表示部１１にＩＣカードに記録された生体情報のホスト装置への登録が完了したことを表示させ、利用者がＩＣカードに記録された生体情報を消去するか否かを判断させる画面を表示する（ステップＳ２１３）。
【００４９】
図３は、生体情報消去部１８４が、表示部１１に表示させるＩＣカードの生体情報を消去するか否かを判断させる画面の一例である。図３に示すように、ステップＳ２１３において、利用者により生体情報の消去が選択された場合には（ステップＳ２１３→Ｙｅｓ）、生体情報消去部１８４により、ＩＣカードに記録された生体情報を消去し（ステップＳ２１４）、例えば、「ＩＣカード内の生体情報を削除しました。」のように示し、登録が完了したことを表示する（ステップＳ２１５）。一方、利用者により生体情報の消去が選択されなかった場合には（ステップＳ２１３→Ｎｏ）、ＩＣカード内の生体情報を消去せずに、例えば、「ＩＣカード内の生体情報は、そのまま記録されます。」のように示し、生体情報の登録処理が終了したことを表示する（ステップＳ２１５）。
【００５０】
このようにすることで、本実施形態に係る生体情報登録システム、生体情報登録方法および生体情報登録装置によれば、利用者が生体情報を金融機関等のホスト装置に登録する際に、窓口に出向いて再度生体情報の登録手続をする手間を省き、利用者の利便性を向上させることができる。なお、ステップＳ２１３でホスト装置２０から登録確認情報を受信した後にＩＣカードに記録された生体情報を消去するか否かを判断させる画面を表示するようにしたが、これに限らず、ステップＳ２０７でＩＣカードに記録された生体情報をホスト装置２０に送信する際にＩＣカードに記録された生体情報を消去するか否かを判断させる画面を表示して顧客に選択させるようにしてもよい。この場合、顧客が消去するように選択すると、ホスト装置２０に生体情報を登録後、生体情報消去部１８４に生体情報を消去する消去通知を送信し、生体情報消去部１８４は消去通知を受信後、ＩＣカードに記録された生体情報を消去する。
【００５１】
次に、本実施形態に係る生体情報登録システムの変形例について説明する。図４は、本実施形態に係る生体情報登録システムの変形例を説明するための機能ブロック図である。図１の実施形態との違いは、ホスト装置２０の制御部２２内に、プログラム配信部２２４を備えていることである。図４に示すプログラム配信部２２４以外の機能は、図１と同様であるので、同じ符号を付し説明を省略する。
【００５２】
プログラム配信部２２４は、生体情報送信装置１０の制御部１８が備える機能を実行するプログラムを、生体情報送信装置１０へ配信する。具体的には、プログラム配信部２２４は、生体情報照合部１８１、生体情報送信部１８２、登録確認情報受信部１８３、および生体情報消去部１８４を実行させるプログラムを生体情報送信装置１０に配信する。そして、記憶部１７に格納されているプログラムが更新される。
【００５３】
このようにすることで、カード情報取得部１３および生体情報読取部１４を備える装置において、ホスト装置２０がプログラム配信部２２４の制御により、生体情報照合部１８１、生体情報送信部１８２、登録確認情報受信部１８３、および生体情報消去部１８４を実行させるプログラムを配信する。そして、本実施形態に係る生体情報送信装置１０の機能を、ＡＴＭや、受付端末、窓口で使用される取引端末等に実行させることができる。
【００５４】
（金融取引システム）
次に、本実施形態に係る金融取引システムについて、図面を参照しながら詳細に説明する。
図５は、本実施形態に係る金融取引システムの構成例を示す機能ブロック図である。図５に示す金融取引システムの構成は、図１に示す生体情報登録システムの構成をすべて含んでいる。したがって、同じ機能を有する構成には同一の符号を付し、説明を省略する。
【００５５】
生体情報送信装置１０ａは、図１の生体情報送信装置１０に示した構成に加えて、制御部１８内に、利用者情報送信部１８５と、生体認証結果情報受信部１８６と、金融取引処理部１８７とを含んで構成される。
【００５６】
利用者情報送信部１８５は、生体情報読取部１４により読み取られた利用者の生体情報と、口座番号等の利用者の識別情報とを示す利用者情報を、通信回線３０を介してホスト装置２０ａに送信する。なお、入力部１２に利用者により入力される口座番号は、タッチパネルやキーボードにより入力されてもよいし、入力部１２に挿入された通帳から読み取るものでもよい。
【００５７】
生体認証結果情報受信部１８６は、利用者情報送信部１８５が送信した利用者情報に示される利用者の生体情報と、ホスト装置２０ａの記憶部２４内の生体認証情報データベース２４１に登録されている生体情報とを照合した結果を示す情報である生体認証結果情報を受信する。
【００５８】
金融取引処理部１８７は、生体認証結果情報受信部１８６が受信した生体認証結果情報が、生体認証が成功したことを示している場合に、利用者により金融取引処理を実行させる機能を有する。
【００５９】
次に、ホスト装置２０ａは、図１のホスト装置２０に示した構成に加えて、制御部２２内に、利用者情報受信部２２５と、生体認証部２２６と、生体認証結果情報送信部２２７とを含んで構成される。
【００６０】
利用者情報受信部２２５は、生体情報送信装置１０ａの利用者情報送信部１８５から送信された利用者情報を通信部２１を介して受信する。
【００６１】
生体認証部２２６は、利用者情報受信部２２５が受信した利用者情報に示される利用者の生体情報と、予め記憶部２４内の生体認証情報データベース２４１に生体情報登録部２２２の処理により登録されている生体情報（ＩＣカードに記録された生体情報）とを照合して生体認証を行う。
【００６２】
生体認証結果情報送信部２２７は、生体認証部２２６が生体認証を行った結果、生体認証に成功した場合には、生体認証に成功した旨を示す生体認証結果情報を生成する。また、生体認証部２２６が、生体認証に失敗した場合には、生体認証に失敗した旨を示す生体認証結果情報を生成する。そして、生体認証結果情報送信部２２７は、生成した生体認証結果情報を、通信部２１を介して生体情報送信装置１０ａに送信する。
【００６３】
次に図５を参照しつつ、図６に沿って、本実施形態に係る金融取引システムの処理の流れを説明する。
図６は、本実施形態に係る金融取引システムの処理の流れを示すフローチャートである。
【００６４】
まず、金融取引処理部１８７の制御により表示部１１に表示された金融取引処理のうちの１つが利用者により選択される（ステップＳ６０１）。例えば、「出金取引」が利用者により選択される。次に、金融取引処理部１８７は、表示部１１に利用者の口座番号の入力を促すメッセージを表示し、利用者により、入力部１２に口座番号が入力される（ステップＳ６０２）。
【００６５】
続いて、金融取引処理部１８７は、表示部１１に利用者の生体情報の読み取りを促すメッセージを表示し、生体情報読取部１４により、利用者の生体情報が読み取られる（ステップＳ６０３）。
【００６６】
そして、利用者情報送信部１８５の制御により、読み取った利用者の生体情報と利用者により入力された口座番号等の識別情報とを示す利用者情報をホスト装置２０ａに送信する（ステップＳ６０４）。
【００６７】
次に、ホスト装置２０ａは、生体情報送信装置１０ａから利用者情報を受信したか否かを判断する（ステップＳ６０５）。ホスト装置２０ａの利用者情報受信部２２５が、利用者情報を受信していなければ（ステップＳ６０５→Ｎｏ）、利用者情報を受信するまで待つ。一方、利用者情報受信部２２５が、利用者情報を受信していれば（ステップＳ６０５→Ｙｅｓ）、ステップＳ６０６へ進む。
【００６８】
そして、ステップＳ６０６において、生体認証部２２６は、利用者情報に含まれる利用者の口座番号等の識別情報に基づいて、受信した利用者情報に含まれる利用者の生体情報と生体認証データベース２４１に登録された生体情報（登録生体情報）とを照合する（ステップＳ６０６）。
【００６９】
続いて、生体認証結果情報送信部２２７は、生体認証部２２６の生体認証の結果を示す生体認証結果情報を生成し、生体認証結果情報を生体情報送信装置１０ａに送信する（ステップＳ６０７）。
【００７０】
次に、生体情報送信装置１０ａの生体認証結果情報受信部１８６は、ホスト装置２０ａから、生体認証結果情報を受信したか否かを判断する（ステップＳ６０８）。ここで、生体認証結果情報を受信していない場合には（ステップＳ６０８→Ｎｏ）、生体認証結果情報を受信するまで待つ。一方、生体認証結果情報を受信した場合には（ステップＳ６０８→Ｙｅｓ）、ステップＳ６０９に進む。
【００７１】
そして生体認証結果情報受信部１８６は、受信した生体認証結果情報が、ホスト装置２０ａの生体認証部２２６により生体認証が成功した旨を示す生体認証結果情報か否かを判断する（ステップＳ６０９）。
ここで、生体認証結果情報が、生体認証に成功した旨の情報でなければ（ステップＳ６０９→Ｎｏ）、つまり生体認証に失敗していれば、生体認証結果情報受信部１８６は、その旨を表示部１１に表示し（ステップＳ６１０）、処理を終える。一方、生体認証結果情報が、生体認証に成功した旨の情報であれば（ステップＳ６０９→Ｙｅｓ）、生体認証結果情報受信部１８６は、生体認証に成功した旨を表示部１１に表示する（ステップＳ６１１）。そして、金融取引処理部１８７が「出金取引」等の金融取引処理を実行する（ステップＳ６１２）。
【００７２】
このようにすることで、本実施形態に係る金融取引システムおよび金融取引方法は、ＩＣカードに記録された生体情報を事前にホスト装置の記憶部に登録しておくことにより、ＩＣカードがなくても、口座番号を入力する、あるいは通帳を入力するだけで、現金支払等の金融取引処理を行うことが可能となる。さらに、出金、入金等の金融取引処理のみならず、窓口での投資業務等における本人確認についても、ホスト装置に登録した生体情報を利用することが可能となり、利用者の利便性を向上させることができる。
【図面の簡単な説明】
【００７３】
【図１】本実施形態に係る生体情報登録システムの構成例を示す機能ブロック図である。
【図２】本実施形態に係る生体情報登録システムの動作を示すフローチャートである。
【図３】本実施形態に係る生体情報消去部の制御により表示部に表示される判断情報を説明する図である。
【図４】本実施形態に係る生体情報登録システムの変形例の構成を示す機能ブロック図である。
【図５】本実施形態に係る金融取引システムの構成例を示す機能ブロック図である。
【図６】本実施形態に係る金融取引システムの動作を示すフローチャートである。
【符号の説明】
【００７４】
１      生体情報登録システム
２      金融取引システム
１０，１０ａ  生体情報送信装置
１１    表示部
１２    入力部
１３    カード情報取得部
１４    生体情報読取部
１５，２１  通信部
１６，２３  一時記憶部
１７，２４  記憶部
１８，２２  制御部
２０，２０ａ  ホスト装置
３０    通信回線
１８１  生体情報照合部
１８２  生体情報送信部
１８３  登録確認情報受信部
１８４  生体情報消去部
１８５  利用者情報送信部
１８６  生体認証結果情報受信部
１８７  金融取引処理部
２２１  生体情報受信部
２２２  生体情報登録部
２２３  登録確認情報送信部
２２４  プログラム配信部
２２５  利用者情報受信部
２２６  生体認証部
２２７  生体認証結果情報送信部
２４１  生体認証情報データベース
【図１】
2009288993.tif 000003
【図２】
2009288993.tif 000004
【図３】
2009288993.tif 000005
【図４】
2009288993.tif 000006
【図５】
2009288993.tif 000007
【図６】
2009288993.tif 000008